(57)【要約】【課題】移動通信システム用アンテナ装置を提供する。【解決手段】上記装置は、全体的に柱形状を有し、アンテナ部品を設置するように上記柱の上側部に形成されるアンテナ部品設置端と、上記アンテナ装置を地盤に固定するように上記柱の下側部に形成される支持端とを含み、上記アンテナ部品設置端の外観ボディの少なくとも一部は、送受信無線信号を通過させる材質で構成され、地盤支持部材は、上記支持端の外観ボディが上記地盤に直立するように上記支持端の下側部に形成される。【選択図】図１
0003154163.tif 000002
【実用新案登録請求の範囲】
【請求項１】
移動通信システム用アンテナ装置であって、
全体的に柱形状を有し、アンテナ部品を設置するように前記柱の上側部に形成されるアンテナ部品設置端と、
前記アンテナ装置を地盤に固定するように前記柱の下側部に形成される支持端と、を含み、
前記アンテナ部品設置端の外観ボディの少なくとも一部は、送受信無線信号を通過させる材質で構成され、地盤支持部材は、前記支持端の外観ボディが前記地盤に直立するように前記支持端の下側部に形成されることを特徴とする移動通信システム用アンテナ装置。
【請求項２】
周辺地域を照明するための照明灯モジュールをさらに含むことを特徴とする請求項１に記載のアンテナ装置。
【請求項３】
周辺地域を撮影するためのカメラモジュールをさらに含むことを特徴とする請求項２に記載のアンテナ装置。
【請求項４】
周辺地域の動きを感知する動きセンサーと、気象感知のための気象センサーと、照度感知のための照度センサーとを含むセンサーモジュールをさらに含むことを特徴とする請求項３に記載のアンテナ装置。
【請求項５】
前記照明灯モジュールの点灯及び／又は明るさ及び前記カメラモジュールの撮影動作は、前記センサーモジュールの照度センサー及び移動体センサーを介して受信された明るさ情報及び移動体情報に基づいて制御されることを特徴とする請求項４に記載のアンテナ装置。
【請求項６】
基地局本体装置は、前記アンテナ装置の外観ボディ内に含まれることを特徴とする請求項１乃至請求項５のうちのいずれか１項に記載のアンテナ装置。
【請求項７】
前記アンテナ装置の動作を全般的に制御するための制御モジュールは、
外部エンティティと通信し、外部の商用電源を受信するインターフェース部と、
前記インターフェース部を介して受信された電源を前記カメラモジュール及び前記照明灯モジュールを含む前記アンテナ装置の動作電源として分配する電源部と、
前記インターフェース部とアンテナ素子間で送受信される信号を処理する信号処理部と、
前記カメラモジュール及び前記照明灯モジュールの動作を含む前記アンテナ装置の動作を総括的に制御する制御部と、を含むことを特徴とする請求項３乃至請求項５のうちのいずれか１項に記載のアンテナ装置。
【考案の詳細な説明】
【技術分野】
【０００１】
本考案は、移動通信システムに関し、特に、移動通信システムの基地局に使用されるアンテナ装置に関する。
【背景技術】
【０００２】
一般的に、移動通信システムにおいて、基地局（中継器を含む）は、移動端末機からのデータをこれらの接続を介して収集し、この収集されたデータを交換網に送信する。基地局は、基地局本体装置内の高出力増幅器を介して送信信号を増幅した後に、この増幅された信号をアンテナ装置に送信し、これをアンテナ装置を介して放射する。また、このアンテナ装置は、移動端末機から送信された信号を受信し、処理のためにこの受信された信号を基地局本体装置に送信する。このアンテナ装置は、サービスを提供する目的で、建物屋上又はタワーのような高い位置に設置され、基地局本体装置は、建物内又はタワーの下の地上に設置される。
【０００３】
上述したように、このアンテナ装置は、無線信号の電波到達距離を最大にするために高く設置し、都心地域では、通常、建物の屋上に柱を立て、その柱の上側には固定台を装着し、固定台に通信用アンテナを装着することが普遍的な例である。
【０００４】
移動通信システム用アンテナ装置が高信頼性の無線通信を可能にするために適切な位置に設置されなければならないが、このアンテナ装置が周辺環境の外観を損なうという理由で建物主などがアンテナ装備の設置を避けるため、設置場所の確保が難しい実情である。
【０００５】
特に、移動電話の使用頻度が高い都心地域の場合には、高いコストにより用地取得が困難な問題点があった。
【０００６】
一方、都心などでは、距離を照明するための街灯及び防犯のための防犯用カメラなどが個別の柱にそれぞれ設置されている。しかしながら、アンテナ装置、街灯、及び防犯用カメラなどは、設置用柱、電源、及び通信機能を通常必要とする共通点があるにもかかわらず、個別の柱に設置される。したがって、都心などには、外観を損なう不必要な複数の柱が存在している。
【考案の概要】
【考案が解決しようとする課題】
【０００７】
したがって、本考案は、上述した従来技術の問題点を解決するために提案されたものであり、その目的は、移動通信システム用アンテナ装置を街灯又は防犯灯が設けられる場所に設置するようにすることにより、設置場所の確保を容易にすることができる移動通信システム用アンテナ装置を提供することにある。
【０００８】
本考案の他の目的は、商用電源の確保が容易であり、通信ケーブルとの接続を容易にする移動通信システム用アンテナ装置を提供することにある。
【０００９】
本考案のさらに他の目的は、街灯用照明灯モジュール、防犯用カメラモジュール、及び各種センサーモジュールを１つの柱に設置するようにすることにより、各モジュールの設置に使用される柱の個数を減少させることができる移動通信システム用アンテナ装置を提供することにある。
【００１０】
本考案のさらなる他の目的は、美観上良いか、親しみを感じる形状を有するようにすることにより周辺環境と調和することができる移動通信基地局用アンテナ装置を提供することにある。
【課題を解決するための手段】
【００１１】
上記のような目的を達成するために、本考案の実施形態の一態様によれば、移動通信システム用アンテナ装置は、全体的に柱形状を有し、アンテナ部品を設置するように上記柱の上側部に形成されるアンテナ部品設置端と、上記アンテナ装置が地盤に固定されるように上記柱の下側部に形成される支持端とを含むことを特徴とする。
【００１２】
基地局本体装置の外観筺体は、周辺地域を照明するための照明灯モジュールと、周辺地域を撮影するカメラモジュールとをさらに含むことができる。
【考案の効果】
【００１３】
本考案による移動通信システム用アンテナ装置は、全体的に柱形状を有し、地盤に固定される支持端とアンテナ部品を設置するアンテナ設置端とを含む。したがって、街灯用照明又は防犯用カメラなどをこの柱に設置することができるため、このアンテナ装置は、従来の街灯及び防犯用カメラに代わることができ、その結果、このアンテナ装置用設置場所を容易に確保することができる。
【００１４】
また、無線基地局の設置のための新たな用地を確保する必要がなく、移動電話の使用頻度が高い都心地域の高価な用地の取得困難を解決することができる。
【００１５】
さらに、従来の街灯及び防犯用カメラなどのアンテナ装置への置換えは、電源の確保及び通信ケーブルへの接続を容易にすることができる。
【００１６】
なお、柱を人々になじんだ街灯柱と同一の形状で製造することにより、周辺環境と調和することができる親環境的な移動通信システム用アンテナ装置を実現することができるという長所がある。
【図面の簡単な説明】
【００１７】
【図１】本考案の一実施形態による移動通信アンテナ装置の概略的な外観斜視図である。
【図２】本考案の他の実施形態による移動通信アンテナ装置の概略的な外観斜視図である。
【図３】図２に示した移動通信アンテナ装置の構成を示すブロック図である。
【考案を実施するための形態】
【００１８】
本考案の詳細な構成および要素のような本考案の詳細な説明で定義される特徴は、本考案の実施形態の包括的な理解を助けるために提供される。したがって、本考案の範囲及び趣旨を逸脱することなく、ここに説明された実施形態の様々な変更及び変形が可能であるということは、当該技術分野における通常の知識を有する者には明らかである。また、明瞭性と簡潔性の観点から、当業者に良く知られている機能や構成に関する具体的な説明は、省略する。
【００１９】
図１は、本考案の一実施形態による移動通信アンテナ装置の概略的な外観斜視図である。
【００２０】
図１を参照すると、本考案の一実施形態による移動通信アンテナ装置１０は、全体的に柱形状を有する。図１の例では、柱形状の基地局アンテナ装置１０は、アンテナの反射板１１２を含むアンテナ部品を設置するようにこの柱の上側部に形成されるアンテナ部品設置端１１と、この柱形状のアンテナ装置１０を地盤に固定するようにこの柱の下側部に形成される支持端１２とを含むことができる。
【００２１】
アンテナ部品設置端１１の外観ボディの少なくとも一部は、放射素子に対する無線信号の送受信を妨害しない材質で構成されることができる。例えば、アンテナ装置１０の外観ボディの部位は、従来のアンテナ装置のレードームと同一の材質である繊維強化プラスチック（Fiber Reinforced Plastic：以下、“ＦＲＰ”と称する。）と、アクリレートスチレンアクリロニトリル（Acrylonitrile Styrene Acrylate：以下、“ＡＳＡ”と称する。）と、ポリ塩化ビニル（PolyVinyl Chloride：以下、“ＰＶＣ”と称する。）などのようなプラスチック材質とから構成されることができる。
【００２２】
支持端１２の外観ボディは、金属製又はＦＲＰなどの材質で構成される。支持端１２が地盤に直立することができるように、地盤支持部材１２２は、支持端１２の下側部に形成される。地盤支持部材１２２は、地盤に予め形成されたコンクリート基盤アンカーボルト（図示せず）に挿入するために適切な位置に形成されたホールを有するように構成されることができる。地盤支持部材１２２を有する柱形状の支持端１２は、電柱や街灯柱と類似することができる。また、制御モジュール１３０は、アンテナ装置１０の動作を全般的に制御するように支持端１２の外観ボディ内に備えられることができる。
【００２３】
アンテナ部品設置端１１及び支持端１２が個別に製造された後に、基地局アンテナ装置１０に結合される構成を有するが、これらは、全体的に１つの柱形状を有する。
【００２４】
上述したように、本発明の基地局アンテナ装置１０は、街灯柱と類似した形状の柱を備え、その柱内に移動通信アンテナを内蔵した形態と見なすことができる。
【００２５】
一方、基地局本体装置は、従来と類似しているように個別に設置されることができ、アンテナ装置１０に接続される。又は基地局本体装置は、本考案の他の実施形態に従って柱形状の基地局アンテナ装置１０の内部、例えば、支持端１１の内部に収容されてもよい。特に、基地局本体装置は、破損及び浸水による損傷に対応するように柱形状の支持端１２内の上部に設置されることができる。
【００２６】
このように、基地局本体装置が柱形状のアンテナ装置１０の内部に設置される場合には、従来のアンテナ装置と基地局本体装置間の距離が近いので、信号損失を低減させることができる。
【００２７】
図２は、本考案の他の実施形態による移動通信アンテナ装置の概略的な外観斜視図であり、図３は、図２に示した移動通信アンテナ装置の構成を示すブロック図である。
【００２８】
図２及び図３を参照すると、本考案の他の実施形態による移動通信アンテナ装置１０’は、図１に示す本発明の一実施形態と同様に、全体的に柱形状を有する。また、柱形状の基地局アンテナ装置１０’は、アンテナ部品を設置するようにこの柱の上側部に形成されるアンテナ部品設置端１１と、この柱形状のアンテナ装置１０’を地盤に固定するようにこの柱の下側部に形成される支持端１２とを含むことができる。
【００２９】
また、図１に示した本発明の一実施形態と同様に、アンテナ部品設置端１１の外観ボディ１１０の少なくとも一部は、放射素子１１４に対する無線信号の送受信を妨害しない材質で構成される。例えば、アンテナ装置１０’の外観ボディ１１０の部位は、従来のアンテナ装置のレードームと同一の材質であるＦＲＰ、ＡＳＡ、及びＰＶＣなどのようなプラスチック材質で構成されることができる。
【００３０】
支持端１２の外観ボディ１２０は、図１に示した本発明の一実施形態と同様に、金属製又はＦＲＰなどの材質で構成され、支持端１２が地盤に直立することができるように、地盤支持部材１２２は、支持端１２の下側部に形成される。地盤支持部材１２２は、地盤に予め形成されたコンクリート基盤アンカーボルト（図示せず）に挿入するために適切な位置に形成されたホールを有するように構成されることができる。地盤支持部材１２２を有する柱形状の支持端１２は、電柱や街灯柱と類似することができる。
【００３１】
図１に示した本発明の実施形態と比較すると、照明灯モジュール２０は、アンテナ装置１０’の外観ボディ、例えば、支持端１２の上側部に追加で設置される。照明灯モジュール２０は、通常、街灯用灯機構の光源として使用される高圧水銀灯、蛍光灯、ナトリウム灯、又は照明用発光ダイオード（Light Emitting Diode：以下、“ＬＥＤ”と称する。）などで構成されることができ、移動通信アンテナ装置１０’の周辺地域を照明する。
【００３２】
このように、照明灯モジュール２０がアンテナ装置１０’に設置される場合には、外観的に既存になじんだ街灯の形状を有することができるので、アンテナ装置１０’は、親近感を与えることができ、周辺環境と調和することができる。
【００３３】
さらに、アンテナ装置１０’が地盤に設置されるように構成されるので、アンテナ装置が都市近郊又は農村地域の平地に設置される場合に、設置作業が非常に容易であり、設置用地の確保も容易である。また、既存の街灯に代わることができるため、電源の確保及び通信ケーブルへの接続が容易である。
【００３４】
一方、図２及び図３に示すように、アンテナ装置１０’は、適切な位置に設置され、アンテナ装置１０’が設置される地域を撮影するためのカメラモジュール３０をさらに含む。したがって、アンテナ装置１０’は、監視機能が追加で備えられる。
【００３５】
また、動きセンサー、気象センサー、及び照度センサーを含むセンサーモジュールがアンテナ装置１０’の柱に追加されると、アンテナ装置１０’は、監視機能を追加で有することができる。
【００３６】
上述したように、照明灯モジュール２０、カメラモジュール３０、及びセンサーモジュール４０を含むため、移動通信アンテナ装置１０’は、従来の移動通信アンテナ装置の機能に加えて、照明機能及び監視機能を有する。このようなアンテナ装置１０’の構成及び動作について図３を参照してより詳細に説明する。
【００３７】
図３を参照すると、アンテナ装置１０’の外観ボディ、例えば、支持端１２の外観ボディ１２０には、アンテナ装置１０’の動作を全般的に制御するための制御モジュール１３０が備えられる。制御モジュール１３０は、遠隔地の基地局本体装置と通信し、外部の商用電源を受信するためのインターフェース部１３２を含む。また、制御モジュール１３０は、インターフェース部１３２を介して受信された電源をカメラモジュール３０及び照明灯モジュール２０の動作電源として、そして、内部アンテナ装置１０’の動作電源として分配するための電源部１３４を含む。制御モジュール１３０は、インターフェース部１３２とアンテナ素子１１４間で送受信された信号を処理する信号処理部１３６と、カメラモジュール３０及び照明灯モジュール２０を含むアンテナ装置１０’の動作を総括的に制御する制御部１３８とをさらに含む。
【００３８】
その上、制御モジュール１３０は、制御部１３８の下でカメラモジュール３０及び照明灯モジュール２０の動作制御をより正確にするための各種センサーを備えるセンサーモジュール４０を含む。例えば、センサーモジュール４０は、照度センサー又は移動体センサーを含むことができる。したがって、制御部１３８は、照度センサーを介して受信された明るさ情報に基づいて照明灯モジュール２０の点灯及び／又は明るさを制御することができ、人や自動車などのような移動体がない場合には、移動体センサーを介して受信された情報に基づいて照明灯モジュール２０が明るさをより弱く制御することができる。また、制御部１３８は、移動体が移動体センサーを介して感知されるときだけ、カメラモジュール３０の撮影動作を可能にすることができる。
【００３９】
一方、カメラモジュール３０と関連した動作をより詳細に説明すると、通常、監視カメラで撮影された撮影データは、専用線を介して個別に構成された地域サーバに送信される。この地域サーバは、複数の監視カメラから受信された撮影データをカメラ別に一時的に格納し、この撮影データを専用網又はインターネットなどのような通信網を介して中央サーバに送信する。この中央サーバは、この撮影データの保管及び管理を行う。
【００４０】
本考案によると、カメラモジュール３０で撮影された撮影データは、個別の専用線などを通過せず、基地局と基地局制御器の間に基本的に設定された通信線路を介して基地局制御器に送信されることができ、基地局制御器は、この撮影データの保管及び管理を行うか、又は専用網又はインターネットなどのような通信網を介してこの撮影データの保管及び管理のために個別に設置される中央サーバに送信することができる。この際に、各カメラモジュール３０で撮影された撮影データは、このデータを撮影したカメラの識別子（ＩＤ）を有するため、この撮影データがカメラ別に格納されることができる。
【００４１】
この中央サーバは、この基地局制御器を介してこの基地局から受信された各カメラの撮影データを格納し、オペレータの操作に従って特定のカメラの撮影データの検索及びディスプレーを行う。この際に、オペレータ又はサービスの受信のために予め登録された加入者は、個別の端末機（図示せず）を介してこの中央サーバに遠隔でアクセスすることができ、この撮影データの検索及びディスプレーサービスをこの中央サーバから受信することができる。
【００４２】
本考案の実施形態による移動通信アンテナ装置は、上述したように構成され、動作されることができる。上記では、具体的な実施形態について説明したが、本考案の範囲内では様々な変形がなされることができる。例えば、アンテナ部品設置端１１及び支持端１２の外観筺体が円筒形状を有するが、四角柱又は八角柱の形状を有してもよいことは自明である。
【００４３】
また、センサーモジュールは、照度センサー又は移動体センサーの他にも、温湿度センサーのような様々なセンサーを含んでもよく、このアンテナ装置は、このようなセンサーの感知情報を送信することにより、様々なサービスに使用されるようにすることもできる。
【００４４】
このアンテナ装置は、このカメラモジュールで撮影した撮影データを実時間で送信してもよく、または、内部メモリに撮影データを一時に格納した後に、適切な周期ごとに（又は適切なタイミングで）送信するように内部メモリを含んでもよい。
【００４５】
また、このアンテナ装置は、移動通信信号が通常送信されるものと同一の方式でカメラモジュールで撮影した撮影データを移動通信網の端末機のようなカメラモジュールを用いて送信してもよい。すなわち、識別のために、電話番号がカメラモジュールに予め割り当てられ、電話番号が中央サーバにも予め割り当てられることにより、動画像通信チャネルは、通信網を介してカメラモジュールと中央サーバ間で確立されることができる。この際に、この中央サーバは、通常の移動通信システムにおける基地局又は基地局制御器に備えられてもよい。この場合に、カメラモジュールで撮影されたデータは、通信量が少ない朝早く移動通信網を介して送信されてもよい。
【００４６】
以上、本考案を具体的な実施形態を参照して詳細に説明してきたが、本考案の範囲及び趣旨を逸脱することなく様々な変更が可能であるということは、当業者には明らかであり、本考案の範囲は、上述の実施形態に限定されるべきではなく、特許請求の範囲の記載及びこれと均等なものの範囲内で定められるべきである。
【図１】
0003154163.tif 000003
【図２】
0003154163.tif 000004
【図３】
0003154163.tif 000005